(57)【要約】【課題】再生中のコンテンツから自動的にＭＸＦファイル化に必要なメタデータを抽出、自動生成するメタデータ編集装置を提供する。【解決手段】番組素材に含まれる既知のキーワード候補を予め辞書として映像認識処理部Ｐ３、音声認識処理部Ｐ４及びメタデータ生成部Ｐ８にそれぞれ備えておき、テープ再生部Ｒで再生された番組素材データからテロップ分離部Ｐ２、映像認識処理部Ｐ３、音声認識処理部Ｐ４にてキーワードを抽出し、メタデータ生成部Ｐ８にてシソーラス辞書が記憶蓄積するキーワード候補と順次比較し、相関度または出現頻度の高いキーワードをオペレータに提示して、オペレータの入力を待ってメタデータを生成してビデオサーバＳに転送するようにしている。【選択図】      図１
2010068434.tif 000002
【特許請求の範囲】
【請求項１】
記録媒体から再生される番組素材データを符号化しかつ規格化されたファイル構造のファイル素材データに生成して記録するビデオサーバに対し、前記番組素材データの素材関連情報としてのメタデータを前記ファイル素材データに対応付けて記録するメタデータ編集装置において、
前記メタデータに登録するキーワードに関わるコマンド及びデータを入力する入力手段と、
前記番組素材データを前記ビデオサーバに記録するときに、前記番組素材データから前記メタデータに登録するキーワードの候補を抽出するキーワード抽出手段と、
前記キーワード候補の抽出または前記キーワード候補を選択するために参照する参照キーワード候補を記憶するキーワード候補記憶手段と、
前記キーワード抽出手段によって抽出される前記キーワード候補と前記キーワード候補記憶手段に記憶された参照キーワード候補との照合により前記登録するキーワードを選択し、前記選択したキーワードを登録したメタデータを生成するメタデータ生成手段とを具備したことを特徴とするメタデータ編集装置。
【請求項２】
前記キーワード抽出手段は、音声認識、テロップ及び映像シーン認識の少なくとも１つによって前記キーワード候補を抽出することを特徴とする請求項１記載のメタデータ編集装置。
【請求項３】
前記キーワード抽出手段は、テロップまたは映像情報と音声認識データとを相互に比較して前記キーワード候補を抽出することを特徴とする請求項２記載のメタデータ編集装置。
【請求項４】
前記キーワード候補記憶手段は、類似語、同義語、関連語の検索可能なシソーラス辞書機能を備えて前記参照キーワード候補を記憶し、
前記キーワード抽出手段は、番組名を検索語として予め用意した辞書の中からキーワードを得、
前記メタデータ生成手段は、前記キーワード抽出手段が出力と前記キーワード候補記憶手段に記憶された参照キーワード候補との相関を取り、出現頻度から前記メタデータを作成することを特徴とする請求項１記載のメタデータ編集装置。
【請求項５】
前記キーワード抽出手段によって抽出されるキーワード候補と前記キーワード候補記憶手段に記憶された参照キーワード候補とが一致した場合に、その一致したキーワードをオペレータに報知し、この報知に対しオペレータがキーワードの選択指示を入力した場合に当該キーワードを前記メタデータとして作成することを特徴とする請求項１記載のメタデータ編集装置。
【請求項６】
記録媒体から再生される番組素材データを符号化しかつ規格化されたファイル構造のファイル素材データに生成して記録するビデオサーバに対し、前記番組素材データの素材関連情報としてのメタデータを前記ファイル素材データに対応付けて記録するメタデータ編集方法において、
前記番組素材データを前記ビデオサーバに記録するときに、前記番組素材データから前記メタデータに登録するキーワードの候補を抽出する第１のステップと、
前記キーワード候補の抽出または前記キーワード候補を選択するために参照する参照キーワード候補を記憶する第２のステップと、
前記キーワード候補と前記キーワード候補の抽出または前記キーワード候補を選択するために参照する参照キーワード候補との照合により前記登録するキーワードを選択し、前記選択したキーワードを登録したメタデータを生成する第３のステップとを備えることを特徴とするメタデータ生成方法。
【請求項７】
前記第１のステップは、音声認識、テロップ及び映像シーン認識の少なくとも１つによって前記キーワード候補を抽出することを特徴とする請求項６記載のメタデータ生成方法。
【請求項８】
前記第１のステップは、テロップまたは映像情報と音声認識データとを相互に比較して前記キーワード候補を抽出することを特徴とする請求項７記載のメタデータ生成方法。
【請求項９】
前記第２のステップは、類似語、同義語、関連語の検索可能なシソーラス辞書機能を備えて前記参照キーワード候補を記憶し、
前記第１のステップは、番組名を検索語として予め用意した辞書の中からキーワードを得、
前記第３のステップは、前記第１のステップが出力と前記キーワード候補記憶手段に記憶された参照キーワード候補との相関を取り、出現頻度から前記メタデータを作成することを特徴とする請求項６記載のメタデータ生成方法。
【発明の詳細な説明】
【技術分野】
【０００１】
この発明は、例えば放送番組で使用する映像／音声等の素材（コンテンツ）をＶＴＲ(Video Tape Recorder)テープから再生し、この再生データをＭＸＦ(material exchange format)ファイル化してビデオサーバに記録する際に、各素材の関連情報（メタデータ）を生成して、この関連情報をＭＸＦファイルに対応付けて登録するメタデータ編集装置及びメタデータ生成方法に関する。
【背景技術】
【０００２】
従来、放送局では、膨大な番組収録データがアーカイブとしてＶＴＲテープに保存されているが収容スペースも大きくなり、これらの収録データを電子データで保存することが進められている。アーカイブは、番組タイトル、撮影時期や、内容概要等からなる情報（以下、編集情報と呼ぶ。）がコンテンツを記録したテープと共にラベルや添付資料により保存管理されているが、これらの編集情報と、映像音声のコンテンツ情報とを合わせて電子化することが重要である。
【０００３】
保存に際しては、単なる記憶媒体の変更に留まらず、編集情報に加えて収録内容に係わるデータを記述したメタデータによって、ＶＴＲテープ等に記録されている映像、及び音声のコンテンツの符号化データをカプセル化して保存するＭＸＦファイル化が行われている（例えば、特許文献１）。
【特許文献１】特開２００７−１２４３６８公報。
【発明の開示】
【発明が解決しようとする課題】
【０００４】
しかし、この場合でもコンテンツ内容詳細は不明なのでテープを改めて再生して、オペレータがコンテンツを繰り返し視聴して必要な情報を抽出し、その情報をキーボード等の端末入力手段によりにより、キーワードや編集情報に係わるメタデータとして記憶媒体に書き込むための入力作業が必要であった。
【０００５】
そこで、この発明の目的は、再生中のコンテンツから自動的にＭＸＦファイル化に必要なメタデータを抽出、自動生成するメタデータ編集装置、メタデータ生成方法を提供することにある。
【課題を解決するための手段】
【０００６】
上記目的を達成するために、この発明に係るメタデータ編集装置は、記録媒体から再生される番組素材データを符号化しかつ規格化されたファイル構造のファイル素材データに生成して記録するビデオサーバに対し、番組素材データの素材関連情報としてのメタデータをファイル素材データに対応付けて記録するメタデータ編集装置において、メタデータに登録するキーワードに関わるコマンド及びデータを入力する入力手段と、番組素材データをビデオサーバに記録するときに、番組素材データからメタデータに登録するキーワードの候補を抽出するキーワード抽出手段と、キーワード候補の抽出またはキーワード候補を選択するために参照する参照キーワード候補を記憶するキーワード候補記憶手段と、キーワード抽出手段によって抽出されるキーワード候補とキーワード候補記憶手段に記憶された参照キーワード候補との照合により登録するキーワードを選択し、選択したキーワードを登録したメタデータを生成するメタデータ生成手段とを備えるようにしたものである。
【０００７】
なお、キーワード抽出手段は、音声認識、テロップ及び映像シーン認識の少なくとも１つによってキーワード候補を抽出する。
【０００８】
この構成によれば、素材データに含まれる既知の参照キーワード候補を予め辞書として用意しておき、番組素材データから音声認識、テロップ及び映像シーン認識の少なくとも１つによってキーワード候補を抽出し、キーワード候補と参照キーワード候補とを順次比較して最も似ていると思われるものをメタデータに登録するキーワードとして選択すれば、効率良くメタデータを生成することができる。
【０００９】
キーワード抽出手段は、テロップまたは映像情報と音声認識データとを相互に比較してキーワード候補を抽出する。
【００１０】
この構成によれば、テロップまたは映像情報と音声認識データとを相互に比較することで、より精度の高いキーワードを抽出できる。
【００１１】
キーワード候補記憶手段は、類似語、同義語、関連語の検索可能なシソーラス辞書機能を備えて参照キーワード候補を記憶し、キーワード抽出手段は、番組名を検索語として予め用意した辞書の中からキーワードを得、メタデータ生成手段は、キーワード抽出手段が出力とキーワード候補記憶手段に記憶された参照キーワード候補との相関を取り、出現頻度から前記メタデータを作成する。
【００１２】
この構成によれば、番組名を指定するだけで、番組素材に関する最適なキーワード候補を得ることができ、このキーワード候補と既知の参照キーワード候補との相関をとることで、出現頻度の高いキーワードをメタデータに登録するキーワードとして生成できるので、メタデータの生成における信頼性をさらに高めることができる。
【発明の効果】
【００１３】
以上詳述したようにこの発明によれば、再生中のコンテンツから自動的にＭＸＦファイル化に必要なメタデータを抽出、自動生成するメタデータ編集装置、メタデータ生成方法を提供することができる。
【発明を実施するための最良の形態】
【００１４】
以下、この発明の実施形態について図面を参照して詳細に説明する。  
図１は、この発明に係るメタデータ編集装置を用いるテープレス移行装置（以下、ＴＭと略す）の一実施形態の機能系統図である。
【００１５】
図１において、ＴＭは、ＶＴＲの様なテープ再生部Ｒと、テープ再生部Ｒから出力されるコンテンツをＥＮＣＳ１で符号化した映像ファイルＶ１をメタデータＭ１でラッピングするラッピング部Ｓ２でＭＸＦファイル化して記憶蓄積部Ｓ３に蓄積するビデオサーバＳとメタデータ編集部Ｐとを備える。
【００１６】
なお、図示しないが、これらテープ再生部Ｒ、メタデータ編集部Ｐ、ビデオサーバＳにテープからの電子アーカイブ化処理（テープレス移行）を行う場合、これらの装置間を接続する制御網（データネットワーク）ＮＷに接続されるＡＳＭ（Ａｓｃｅｔｍｅｎｔ  Ｍａｎａｇｅｍｅｎｔ  Ｓｙｓｔｅｍ図示せず）、又は、スタジオの制御卓から入力されるコマンドやデータによって動作が制御、監視される。又、後述の様にメタデータ編集部Ｐの入出力手段から入力される、データ、コマンドにより動作制御が行われる。
【００１７】
メタデータ編集部Ｐは、テープ再生部Ｒから出力されるコンテンツである映像音声信号を映像信号と音声信号に分離するセパレータ（映像音声分離部）Ｐ１、分離された映像信号から更に文字情報であるテロップと元の映像情報に分離してテロップメモリ部Ｐ５へ出力するテロップ分離部Ｐ２、映像信号を、所定の映像辞書Ｐ６と比較参照し、映像シーンをカテゴライズしたシーン情報を出力する映像認識処理部Ｐ３、分離された音声信号を音声認識し、所定の単語を記憶蓄積した音声辞書Ｐ７と比較参照することにより、コンテンツに係わるキーワード候補に変換して出力する音声認識処理部Ｐ４、音声認識処理部Ｐ４、テロップメモリＰ５部から出力されるデータを受信しメタデータを生成して出力するメタデータ生成部Ｐ８、メタデータ生成部Ｐ８はじめメタデータ編集部Ｐに映像と音声の同期情報を与える為の時刻情報を出力するタイマカウンタＰ９、出力されたメタデータを記憶するメタデータ蓄積部Ｐ１０、メタデータ蓄積部Ｐ１０からビデオサーバＳにメタデータを転送する通信インタフェース部Ｐ１１と、例えば、マウス、キーボードやディスプレイの様なメタデータ生成部Ｐ８との間でメタデータ作成に係わるデータを入力、確認する入出力部Ｐ１２とを備える。
【００１８】
メタデータ編集部Ｐにおいて、入力される映像音声は、映像音声分離部Ｐ１で、映像と音声の信号に分離され、各信号は内蔵される符号化部（ＥＮＣ）でデジタル化されてテロップ分離処理部Ｐ２と音声認識処理部へ出力され、以降、各部ではデジタル信号処理が行われる。この各出力信号は、タイマカウンタＰ９と同期して例えば、信号先頭からの経過時間が分かるようにタイムタグが付与される。
【００１９】
テロップ分離部Ｐ２は、映像信号から文字抽出処理を実行する。抽出された文字、即ちテロップデータは、更に単語に分離処理され、タイムタグ情報と共にテロップメモリ部Ｐ５へ保存蓄積される。
【００２０】
音声認識処理部Ｐ４でも同様に、音声信号から会話、朗読音声等を認識処理し音声辞書Ｐ７に記憶蓄積された参照キーワード候補と参照され、キーワード候補となる単語の変換候補が抽出される。この変換候補は、テロップメモリ部Ｐ５に保存された単語と比較参照されるか、またはオペレータが確認することにより、メタデータのキーワード作成用の候補として選択される。つまり、単語候補が出現するタイミングの前後に生じるテロップが有れば、そのテロップと一致する単語である場合、同音異義語から的確な単語を選択してキーワード候補とする処理が音声認識処理部Ｐ４において行われる。
【００２１】
映像認識処理部Ｐ３は、予め、放送番組の種別、例えば、ニュース、各種スポーツ中継、座談会、劇場中継等のシーン特有の映像パターンを、番組種別名称と組にして画像（シーン）サンプルとして映像辞書に保存し、その基本パターンと、再生装置Ｒ経由入力された映像とパターンマッチングをしてシーンの種別を判定する。この判定されたシーンの種別名は、タイムタグと共に、映像認識処理部Ｐ３に一次記憶され、メタデータ生成処理部Ｐ８へ出力される。
【００２２】
図２は、図１に示されるメタデータ編集部Ｐの動作処理を説明する構成系統図である。
【００２３】
図２において、セパレータＰ１、映像認識処理部Ｐ３、音声認識処理部Ｐ４、メタデータ生成部Ｐ８は、更に図示される内部構成を備え、それらの間は内部バス１で接続されている。そして、図示しないがバスインタフェースにより装置内バスと内部バス１との間でデータやコマンドが入出力している。
【００２４】
ＡＭＳ（図示せず）からのコマンドによりテープ再生部Ｒからコンテンツ単位でビデオ信号（映像・音声）がメタデータ編集装置ＰとビデオサーバＳへ入力される。
【００２５】
この場合、ＡＭＳの入力手段等から両装置へは、両装置で処理されるコンテンツの対応をとるようにこのコンテンツに対して所定の識別情報、名称が指定入力される。
【００２６】
セパレータＰ１に入力された映像・音声信号は、セパレータＰ１の多重分離部１１で映像と音声の信号に分離され、更に映像エンコーダ（ＥＮＣ）１２と音声エンコーダ（ＥＮＣ）１３で映像と音声とのデジタル信号に変換される。これらのデジタル信号は、テープに記録されたタイムタグ情報と照合可能であり、装置内バスから更にメタデータ編集部Ｐ内の内部バス１に向けてタイムタグ情報と合わせて出力される。
【００２７】
映像信号は、テロップ分離部Ｐ２と映像認識処理部Ｐ３へ入力され、テロップ分離部Ｐ２では、映像信号から更にテロップ情報が抽出され、テキストデータに復元されて内部バス１を介してタイムタグが付加されテロップメモリ部Ｐ５に入力記憶される。
【００２８】
テロップ分離部Ｐ２は、テロップが有るタイミングでは「テロップフラグ」を内部バス１を介して音声認識処理部Ｐ４、映像認識処理部Ｐ３、メタデータ生成部Ｐ８とへ出力し、これらの構成で同じテロップと映像、音声を同期して処理するための参照情報を供給する。
【００２９】
映像認識処理部Ｐ３では前述の様に入力された映像信号が所定のシーンパタン抽出方法（例えば、内部の標本シーンパタンとマッチング抽出をする）で分類する。そして分類された抽出データを、映像辞書参照部３１が更に映像辞書Ｐ６に記憶保存しているメタデータの参照キーワード候補用のシーンパタンのサンプルと比較照合してシーン種別をキーワード候補として映像認識処理部Ｐ３の装置内バスへ出力する。
【００３０】
ＣＰＵ３２は、サンプルに付与されている参照キーワード候補（例えば、野球シーンのパターン）と対応してタイムタグと共に「野球、００：１０：２０」の様なキーワード候補をメモリ３３に書き込み記憶する。
【００３１】
また、報道番組等で表示されたテロップの表示タイミングでは、テロップフラグを受信するので、ＣＰＵ３２は、映像辞書Ｐ６を参照して得たキーワード候補とテロップメモリＰ５から得たテキストデータを更に加え、例えば、「風景，００：０７：２０，自給分が上がって、」をメモリ３３に記憶する。
【００３２】
音声認識処理部Ｐ４では、音声抽出部４１が音声ＥＮＣ１３から入力される符号化音声データから取り出した音声情報を音声辞書参照部４２が音声辞書Ｐ７の音声認識用の辞書データ、言い換えれば、参照キーワード候補でもある辞書データと比較参照して音声認識による文字入力データを生成し、メモリ４３にメタデータのキーワード候補として書き込み記憶する。
【００３３】
ＣＰＵ４４は、テロップ分離部Ｐ２からテロップフラグを受信しているタイミングで、更にテロップデータからテロップのテキストデータを受信し、更に生成された文字入力データと比較照合してテロップのテキストデータと整合性が良い単語に修正変換して、キーワード候補としてメモリ４３に書き込み記憶する。
【００３４】
例えば、上記の例で、音声のみの場合、「じきゅうぶん」に対して「時給分」、「自給分」、「持久分」がテキストへの変換候補になるが、ＣＰＵ４４は、テロップ参照部４５を参照することにより「自給分」を候補に選択してメモリ４３へ、タイムタグと共に書き込み記録する。
【００３５】
なお、テロップ表示タイミングと音声認識処理によるテキスト変換タイミングとを、必ずリアルタイムの同じ時刻（タイミングに行う必要は無い。テロップ表示が有るタイミングに対してテロップデータにタイムタグを付与してメモリ４３に記憶する。
【００３６】
逆に言うとタイムタグがあるタイミングのみテロップがあるので、音声認識処理部Ｐ４は、タイムタグ出力が有るタイミングのみ音声変換を下データとテロップとを照合比較すれば良い。
【００３７】
以上が、メタデータに保存記憶されるキーワード候補の作成手順である。ＭＸＦ化のメタデータとして登録、使用されるキーワードは更に後述の処理手順で生成される。
【００３８】
ＭＸＦファイル化に用いられるメタデータは、番組名称や、報道番組、劇場映画、ドラマなどの番組種別の編集情報が使用される。そして、編集情報に加えて、更にその番組内容の傾向など、あらすじに準じるような、番組の特徴を示す為のキーワードが付帯記録され、アーカイブ化された番組を後日検索する場合に用いられる。
【００３９】
これらのキーワードは、重要度、出現度などにより、地名、人物に加え、様々な用語が採用される。従来マニュアル等はあるにしても、編集オペレータが番組を視聴してコンテンツに出現した発言やテロップなどからキーワードを選択していた。この様に、メタデータ作成は、番組を通して視聴して確認しなければならず時間と人手を要しており、アーカイブ作成の大きな負担となっている。
【００４０】
本発明の実施形態のメタデータ編集部Ｐは、上記の音声、映像認識処理部Ｐ３，Ｐ４、テロップメモリＰ５から得たメタデータにするキーワード候補から自動的にキーワードを生成する。
【００４１】
即ち、メタデータ編集部Ｐでは、コンテンツを通して得たキーワード候補からシソーラス辞書８１を利用する統計処理により、キーワードを生成する。
【００４２】
図３は、キーワード候補からキーワードを生成する動作手順を示すフローチャートである。
【００４３】
ここでは、タイトルが「気象異常」の報道特別番組開始後５分間で実行されるキーワード抽出処理を例にして説明する。
【００４４】
最初にオペレータは、テープ再生部ＲにＶＴＲテープを装着後、メタデータ生成部Ｐ８の入出力部Ｐ１２から、番組名称の「気象異常」、又は、テープの識別情報と、例えば、コマンドとして「ＥＤＩＴ」、「Ｓ−０５ｍ：ＫＷ」を入力して記録先頭から５分間の処理時間を設定してキーワードを抽出する指示を行う。
【００４５】
データネットワークＮＷを介してこのコマンドは、メタデータ編集部Ｐのメタデータ生成部Ｐ８、音声認識処理部Ｐ４、映像認識処理部Ｐ３、テロップ分離部Ｐ２、セパレータＰ１、テープ再生部Ｒ、ビデオサーバＳへ入力される。
【００４６】
そして、コマンドを受信したテープ再生部Ｒは、テープの再生を開始して映像音声信号の出力を開始し、メタデータ編集部Ｐがメタデータ生成を開始する等それぞれが、メタデータ作成に係わる動作を開始する。
【００４７】
メタデータ編集部Ｐは、映像音声信号を入力し、前述の如く音声、映像認識処理部Ｐ３，Ｐ４の各メモリ３３、４３、及びテロップメモリＰ５へメタデータに使用するキーワード候補が書き込み記憶される（ステップｓ１）。
【００４８】
続いてメタデータ生成部Ｐ８のＣＰＵ８２は、タイマカウンタＰ９を参照し、開始から５分経過するまでのキーワード候補を内部バス１を介して音声認識処理部Ｐ４、テロップデータ部Ｐ５、映像認識処理部Ｐ３の各メモリ３３，４３から読み出して自装置のメモリ８３へ転送書き込する（ステップｓ２）。
【００４９】
ＣＰＵ８２は、このタイムタグデータを参照して最初の５分間の間、キーワード抽出と選択の処理を行ってメタデータの生成を行う。
【００５０】
また、このメタデータ生成時間は、入出力部Ｐ１２から設定するものでも良いし、前編通して行うものでも、適宜設定されるものである。
【００５１】
次に、ＣＰＵ８２は、音声認識処理部Ｐ４から取得したキーワード候補を先頭から読み出し、出現頻度の高い単語から順位付けした音声変換キーワードリストＶＷＬを作成し、メモリ８３へ書き込み記憶する（ステップｓ３）。例えば、「気温（１０）、温度（１０）、雨量（８）、雨の日（５）、晴天（４）、平年（３）・・・・」のリストが記憶された内容である。
【００５２】
また、ＣＰＵ８２は、テロップに出現した単語も同様に、例えば、「気温（２）、日照時間（１）、降雨量（１）・・・」のようなテロップキーワードリストＴＷＬを作成、メモリ８３に書き込み記憶する（ステップｓ４）。
【００５３】
さらに、ＣＰＵ８２は、映像認識処理部Ｐ３のメモリ３３から読み出したシーン種別名も同様であり、例えば、「畑風景（３Ｕ）、グラフ図１（２Ｕ）、文章画面（１Ｕ）・・・・」がシーンリストＳＬとしてメモリ８３に書き込み記憶する（ステップｓ５）。ここで（１Ｕ）は例えば、２秒間を所定の表示単位時間として表される表示時間長である。
【００５４】
映像認識処理部Ｐ３のＣＰＵ３２は、番組名称「気象異常」を検索語としてシソーラス辞書８１と参照する（ステップｓ６）。このシソーラス辞書８１は、入力された単語に対する類似語、派生語、また関連語等を出力する辞書である。「気象異常」に対しては、例えば、「干ばつ、日照り、日照不足、冷害、低温・・・・」の様に数十の単語が出力されるものである。
【００５５】
ＣＰＵ８２は、検索語に対するシソーラス辞書８１の出力リストと前出の各キーワード候補リスト、シーン種別名との所定の方法による相関度を調べる。例えば、シソーラ須辞書との一致回数が多い単語を調べ同様に一致数の多い単語からリストにする（ステップｓ７）。
【００５６】
その結果、例えば「気温上昇（８）」、干ばつ（５）、降雨量（４）、冷害（３）・・・・」の様な単語が出力され、ＣＰＵは、所定の、例えば、上位３つのキーワード候補としてあげられた単語を、キーワードとして選択し、入出力部Ｐ１２のディスプレイに表示させる（ステップｓ８）。
【００５７】
この状態でオペレータが、キーワードに採用すると判定して入出力部Ｐ１２において「Ｙ」を入力したとする。そうするとＣＰＵ８２は、ステップｓ９からステップｓ１０に移行してここでそのキーワードをメタデータ蓄積部Ｐ１０に蓄積する。
【００５８】
一方、選択内容に不満足で「Ｎ」が入力された場合、ＣＰＵ８２は、ステップｓ９からステップｓ１１に移行してここで３位以下の、例えば、６位までのキーワード候補を画面に表示し、オペレータにキーワードの採用入力を促す。
【００５９】
そして、登録するキーワードが採用され、更にオペレータがビデオサーバＳへの送信コマンドを入力した場合か、又は、ビデオサーバＳからの読み出しコマンドをデータネットワークと通信インタフェース部Ｐ１１を介して受信した場合（ステップｓ１２）、この蓄積されたデータ、即ちキーワードが登録されたメタデータはビデオサーバＳへデータネットワークＮＷと通信インタフェース部Ｐ１１を介して転送され、所定の処理手順で当該コンテンツのＭＸＦファイル化に用いられる。
【００６０】
このキーワード登録方法であると、単純に番組中出現した候補の出現回数のみからのみにより選択した場合よりもシソーラス辞書８１を活用することにより番組名からの関連語までも含めて当該単語の主旨を反映した単語の出現回数が統計上出現するので、概念的に番組作成の意図に適合したキーワードが生成される。
【００６１】
また、音声認識処理部Ｐ４で記憶されるキーワード候補は、音声からテキストの単語に変換される場合、複数候補があり、それを選択出来るテロップ情報が無い場合、シソーラス辞書との出力と相関性を調べることにより候補を１つに選択しなくても正しくキーワード候補とすることができる。
【００６２】
例えば、音声認識処理によって取得した“かな”を“漢字”に変換する機能のみでは、「てんき」に対して「天気」が正しい変換候補で有る場合でも、「転記」、「転機」、「転帰」から選択する基準は無い。しかし、その場合、「気象異常」のシソーラス辞書との相関を取れば、正しい変換候補の「天気」がキーワードとの相関性が一番高いので正しくキーワード候補として選択される。
【００６３】
また、上記説明では、テロップと、音声認識処理と、シーン種別から挙げられた候補のキーワード作製に対する重み度を均等にしているが、オペレータが入出力部から各処理、又は単語への重み付けを入出力部から指定しても良い。
【００６４】
更に、番組名を検索語としてシソーラス出力リストを用いず、全てのキーワード候補に対するシソーラス出力をリスト化し、それらの相互間で更に相関を求める様にしても良い。更にシソーラス辞書自体を１種類だけでなく、複数のシソーラス辞書から専門用語に特化されたものを選択して基準にするか、もしくは多種のものを組合わせて用いるものであっても良い。
【００６５】
また、音声認識処理部では、音声認識によりアナウンサや出演人物等を特定し、メタデータとして抽出するものであっても良い。この音声で特定された人物に関するシソーラスデータを専門辞書として準備しておき、例えば、複数人物が登場しているもので有れば、座談会の様な分類データをキーワードとして生成するものであっても良い。
【００６６】
上記実施形態では、参照キーワード候補を予め辞書データとして映像認識処理部Ｐ３、音声認識処理部Ｐ４及びメタデータ生成部Ｐ８にそれぞれ備えておく。テープ再生部Ｒで再生された番組素材データからテロップ分離部Ｐ２、映像認識処理部Ｐ３、音声認識処理部Ｐ４にて映像、音声辞書データを参照してキーワード候補を抽出し、メタデータ生成部Ｐ８にて抽出された各キーワード候補をシソーラス辞書８１と順次比較し、出現頻度の高いキーワード候補、又はシソーラス辞書８１の参照キーワード候補との一致回数が多いものをオペレータに提示する。
【００６７】
そして、オペレータにより確認、選択されたキーワード候補が入出力手段１２から入力されると、それをキーワードとして登録したメタデータを生成してビデオサーバＳに転送することにより、効率良く的確なキーワードが登録されたメタデータを生成することができる。
【図面の簡単な説明】
【００６８】
【図１】この発明に係るメタデータ編集装置を用いるテープレス移行装置の一実施形態の機能系統図。
【図２】上記図１に示されるメタデータ編集部の動作処理を説明する構成系統図。
【図３】上記図１に示されるメタデータ編集部において、キーワード候補からキーワードを生成する動作手順を示すフローチャート。
【符号の説明】
【００６９】
１…内部バス、１１…多重分離部、１２…映像エンコーダ、１３…音声エンコーダ、３１…映像辞書参照部、３２，４４，８２…ＣＰＵ、３３，４３，８３…メモリ、４１…音声抽出部、４２…音声辞書参照部、４５…テロップ参照部、Ｓ…ビデオサーバ、Ｒ…テープ再生部、Ｐ…メタデータ編集部、Ｐ１…セパレータ（映像音声分離部）、Ｐ２…テロップ分離部、Ｐ３…映像認識処理部、Ｐ４…音声認識処理部、Ｐ５…テロップメモリ部、Ｐ６…映像辞書、Ｐ７…音声辞書、Ｐ８…メタデータ生成部、Ｐ９…タイマカウンタ、Ｐ１０…メタデータ蓄積部、Ｐ１１…通信インタフェース部、Ｐ１２…入出力部。
【図１】
2010068434.tif 000003
【図２】
2010068434.tif 000004
【図３】
2010068434.tif 000005